(57)【要約】流体ディスペンサ部材（１）であって、構成要素として、吸入ダクト（１１）が形作られた本体（１０）と、本体内で移動可能な駆動ロッド（１３）と、駆動ロッドに結合された駆動部材（１５）と、そして、流体が格納されている容器（２）の開口部（２０）に本体（１０）を固定するための固定手段（１７）と、を有しており、特徴となるのは、構成要素のうち１つが、ディスペンサ部材に関する情報を供給することのできるＩＤユニット（３）を備えている点である、という前記部材。
2005507835.tif 000002
【特許請求の範囲】
【請求項１】
流体ディスペンサ部材（１）であって、構成要素として、
・吸入ダクト（１１）が形作られた本体（１０）と、
・本体内で移動可能な駆動ロッド（１３）と、
・駆動ロッドに結合された駆動部材（１５）と、そして、
・流体が格納されている容器（２）の開口部（２０）に本体（１０）を固定するための固定手段（１７）と、を有しており、
特徴となるのは、構成要素のうち１つが、ディスペンサ部材に関する情報を供給することのできるＩＤユニット（３）を備えている点である、
という前記部材。
【請求項２】
ＩＤユニット（３）は、集積回路（３０１）と情報を乗せた信号を転送することのできるアンテナ（３０２）とを有すること、
を特徴とする請求項１に記載のディスペンサ部材。
【請求項３】
ＩＤユニット（３）は、本体（１０）に固定された支持部材（３１）の内側に収容されていること、
を特徴とする請求項１又は２に記載のディスペンサ部材。
【請求項４】
支持部材は、本体（１０）を囲む形ではめられるリング（３１）を形成していること、
を特徴とする請求項３に記載のディスペンサ部材。
【請求項５】
ＩＤユニット（３）は、駆動部材（１５）の内側に収容されていること、
を特徴とする請求項１又は２に記載のディスペンサ部材。
【請求項６】
駆動部材は、駆動ロッド（１３）上に設置されたプッシャー（１５）であること、
を特徴とする請求項５に記載のディスペンサ部材。
【請求項７】
ＩＤユニット（３）は、固定手段（１７）の内側に収容されていること、
を特徴とする請求項１又は２に記載のディスペンサ部材。
【請求項８】
ＩＤユニット（３）は、構成要素に固定されていること、
を特徴とする請求項１乃至７のいずれかに記載のディスペンサ部材。
【請求項９】
ＩＤユニット（３）は、構成要素の内部に閉じ込められるか、埋め込まれていること、
を特徴とする請求項１乃至６のいずれかに記載のディスペンサ部材。
【請求項１０】
容器（２）と請求項１乃至９のいずれかに記載のディスペンサ部材（１）とを有する流体ディスペンサ。
【発明の詳細な説明】
【技術分野】
【０００１】
本発明は流体ディスペンサ部材に関し、当該部材は、吸入ダクトが形作られた本体、本体内で移動可能な駆動ロッド、駆動ロッドに結合された駆動部材、流体が格納された容器の開口部に本体を固定する固定手段、を有している。こうした設計は、香水や化粧品あるいは薬学の分野において、フラスコやビン、あるいはその他の容器に格納された流体を投与するために使われるポンプや弁に関しては、全く従来型のものである。
【背景技術】
【０００２】
さらに具体的に言えば、本発明は、ディスペンサ部材の認証および追跡の機能に関し、さらに広く言えば、そうしたディスペンサ部材を用いるディスペンサに関する。ディスペンサ部材の出所を疑いのない形で識別できるようにする、ということは、真正のアイテムとイミテーションまたは偽物とを迅速かつ容易に区別できるようにする上で重要である。また、追跡可能性（トレーサビリティ）の目的について言えば、ディスペンサ部材について、製造から販売又は販売の申し出に至るまでの経路または行程を追跡できるようにすることが重要である。
【０００３】
以前から、識別能力のあるマークまたは記号を用い、これらをディスペンサまたはディスペンサ部材に取り付けたり一体化させたりすることで、製品の出所を視覚的に識別できるようにすることが知られていた。しかしながら、識別用のマークや記号を模倣して、模造ディスペンサの上にそれを取り付けることは、偽造者にとっては非常に容易なことであった。
【発明の開示】
【発明が解決しようとする課題】
【０００４】
本発明は、従来技術に関する上記の問題を解消することを目的とし、そのために、ディスペンサ部材やこうした部材を用いたディスペンサを識別する手段であって現実的に偽装が不可能である、という新奇な手段を規定する。
【課題を解決するための手段】
【０００５】
本発明においては、上記の目的を達成するために、ディスペンサ部材を構成している構成要素のうち１つが、ディスペンサ部材に関する情報を供給することのできる識別（ＩＤ）ユニットを備えている。また、ＩＤユニットは、集積回路と情報を乗せた信号を転送することのできるアンテナとを有すること、とするのが効果的である。さらに、例として、信号は無線周波数のタイプとすることができる。
【発明の効果】
【０００６】
このようにすれば、ＩＤユニットは、ユニットのアンテナに受信された情報要求信号の転送に応じ、信号の形で情報を供給することができる。
また、本発明の１つの実施の形態では、ＩＤユニットは、本体に固定された支持部材の内側に収容されていること、とする。さらに、支持部材は、本体を囲む形ではめられるリングを形成していること、とするのが効果的である。
【０００７】
また、別の実施の形態では、ＩＤユニットは、駆動部材の内側に収容されていること、とする。さらに、駆動部材は、駆動ロッド上に設置されたプッシャーであること、とするのが効果的である。
また、別の実施の形態では、ＩＤユニットは、固定手段の内側に収容されていること、とする。
【０００８】
ＩＤユニットに関しては、投与部材を構成する構成要素に取り付けることができるが、変形例として、当該構成要素を形成する素材の内部に閉じ込める（encapsulated）、またはこれに埋め込むこともできる。
本発明はさらに、スプレーなどの流体ディスペンサであって、容器及び本発明のディスペンサ部材を有する流体ディスペンサを提供する。
【発明を実施するための最良の形態】
【０００９】
本発明に関しては、これ以降の部分で、非限定的な例として本発明の実施の形態をいくつか示す添付図面を参照しながら、より詳細に説明する。
本発明は、ポンプや弁などの投与部材の全てに適用される。従って、図面に示す投与部材１は、ポンプおよび弁のいずれであってもよい。投与部材１は、容器２への取り付けのために必要な構成要素を全て有している。取り付けのために、容器２は、容器２の内部を外部とをつなぐ開口部２０が形作られたネック２１を有している。
【００１０】
ディスペンサ部材１は、吸入スリーブ１１が形作られた本体１０を有し、当該スリーブにはディップチューブ１４が接続可能であり、ディップチューブは容器２の内部を下方向に底面まで延びている。本体１０はまた、吸入スリーブ１１から遠い方の端部に、外向きに突き出たリム１２を有している。投与部材はさらに駆動ロッド１３を有し、当該ロッドは本体１０内部を並進で移動するように設置されている。駆動ロッド１３は何らかの要素（図示せず）を駆動する。当該要素については、ポンプの場合はピストンとすることができ、弁の場合は弁部材とすることができる。しかしながら、これは本発明にとって重要なことではない。駆動ロッド１３の上側端部には、駆動部材１５がプッシャーの形で設置されている。ここに示す例では、プッシャー１５には投与開口部１６が（例えばノズルの形で）形成されている。こうしたディスペンサ部材の動作は非常に簡単であり、また、よく知られている。すなわち、プッシャー１５を押下して、本体１０内で駆動ロッド１３を移動させるだけでよい。そうすれば、任意に計量された量の流体が、駆動ロッド１３を通って投与開口部１６に達し、そこで投与される。これは、化粧品や香水、さらには薬剤の分野におけるポンプ又は弁としては、全く従来通りのものである。
【００１１】
容器２の開口部２０に本体１０を固定するために、固定手段１７が設けられている。そして、この場合、当該固定手段はクリンプ用カラーの形をとっている。クリンプ用カラー１７は、本体１０のリム１２を受け止めるハウジングを形成し、さらにネック２１の周囲でクリンプ効果を実現する。ただし、これは非限定的な実施の形態といえる。固定手段については、リングまたはタレットの形で実現することも可能だからである（例えば、プラスチック素材で成り、ネックの内部または外部にはまり、さらに、本体１０のリム１２を受け止めるハウジングを形成する、というものである）。固定手段を具体的にどのような形にするかは、本発明にとって重要な事柄ではない。
【００１２】
開口部２０において密閉した形での固定を実現するために、固定手段１７については、ネック２１の頂上側端部に押し付けられて圧縮されるように設計されたネックガスケット１８を有する形とするのが効果的である。これまでのところ、上述のポンプまたは弁は、完全に従来型のものである。
本発明では、ディスペンサ部材は、ディスペンサ部材に関する情報を供給することのできるＩＤユニットを有している。ＩＤユニットによって供給される情報は、どのような種類のものでもよい。例えば、ディスペンサ部材の特性に関する情報：製造日付及び製造場所、送り先、出荷日、受け取り日、受け取り場所、などである。また、一例として、こうした情報はＩＤユニットから無線で送信することができる。この場合、ＩＤユニットは、アンテナ３０２につながれた集積回路３０１でなることとし、両者とも、樹脂のかたまり３０３または他の何らかの適当な素材の中に埋め込まれているか、その内部に閉じ込められている、とすればよい。これを図５に示す。これは、無線周波数タイプのＩＤユニットとしては、従来通りのものである。集積回路は情報転送ユニットから来る情報を格納するが、当該情報はアンテナ３０２によって受信される。さらに、集積回路３０１に保存されている情報の再生または転送のために、送信機ユニットが用いられる。当該送信機ユニットは情報要求信号を送り出し、この信号はアンテナ３０２によって受信される。そしてさらに、前記情報要求信号に応じる形で、集積回路３０１は、アンテナ３０２を用いて保存された情報を再生する。
【００１３】
当然、こうした無線周波数ＩＤユニットの使用は単なる一例にすぎず、これとは別のものでも、何らかの情報転送技術と共に機能するタイプのＩＤユニットであれば、どんなものでも使用できると理解すべきである。
図１を見れば分かるように、入口スリーブ１１はリング３１を備えており、当該リングはＩＤユニット３のための支持部材として働く。リング３１については、それが受け台接触の状態になるまで、入口スリーブ１１上に圧力嵌めすることができる。ＩＤユニット３は、サポートリング３１内に収容または配置するだけでよいが、それ以外にも変形例として、サポートリング３１を構成する素材のかたまりの内部にＩＤユニット３を閉じ込める、又は埋め込む、という形が可能である。この実施の形態が好ましいのは、ＩＤユニットの周囲に、アンテナの動作を混乱させるおそれのある金属が存在しないからである。それに加えて、ＩＤユニットは貯蔵器の内部で保護されることになる。ＩＤユニットを取り出そうとすれば、ディスペンサを分解または破壊するしかない。
【００１４】
また図２を見ると、ここでは、ＩＤユニット３はプッシャー１５に収容されており、当該プッシャーには、ＩＤユニット３を受け入れるのに適したハウジングが形成されていることが分かる。しかしながら、ＩＤユニット３を、プッシャー１５を構成している素材（この場合プラスチック素材）に埋め込むか、その内部に閉じ込める、という形も考えられる。その場合は、樹脂ピン３０３が、プッシャー１５を構成しているプラスチック素材と文字通り取り替えられる。プッシャーがカバー（例えば、金属製のもの）を備えている場合は、ＩＤユニットをカバー上に配置して、そこに保持させることができる。
【００１５】
次いで図３を見ると、ＩＤユニット３はリング３１によって支えられており、当該リングは、ちょうど開口部２０においてガスケット１８の下の位置で本体１０を囲む形に嵌めこまれている、ということが分かる。これは、図１に示す実施の形態の変形例に関するものであり、ＩＤユニット３については、サポートリング３１に単に配置するか、あるいはここに埋め込む、とすることができる。
【００１６】
次いで図４を参照する。同図からは、ＩＤユニット３がネックガスケット１８上に設置されており、そのために、当該ガスケットにはＩＤユニット３を受け止めるためのリセスが形成されていること、を見て取れる。
当然のことながら、こうしたＩＤユニット３については他の設置位置を考えることも可能である。例えば、内部閉じ込めや埋め込みの技法を用いて、ＩＤユニットを本体１０または本体１０を構成する壁にさえ配置することが可能である。
【００１７】
本発明では、ＩＤユニット３は、そこから分離することができないという意味で、真にディスペンサ部材と一体化された部品となっている。
【図面の簡単な説明】
【００１８】
【図１】本発明に関する第１の実施の形態を構成するディスペンサ部材を備えた流体ディスペンサの縦断面を示す図である。
【図２】図１と同様の図であり、本発明のディスペンサ部材に関する第２の実施の形態を示す図である。
【図３】図２と同様の図であり、本発明のディスペンサ部材に関する第３の実施の形態を示す図である。
【図４】本発明に関する第４の実施の形態を構成するディスペンサ部材を用いたディスペンサの一部を大きく拡大して示す図である。
【図５】無線周波数ＩＤユニットの実施の形態を示す概略図である。
【図１】
2005507835.tif 000003
【図２】
2005507835.tif 000004
【図３】
2005507835.tif 000005
【図４】
2005507835.tif 000006
【図５】
2005507835.tif 000007
【国際公開パンフレット】
2005507835.tif 000008
2005507835.tif 000009
2005507835.tif 000010
2005507835.tif 000011
2005507835.tif 000012
2005507835.tif 000013
2005507835.tif 000014
2005507835.tif 000015
2005507835.tif 000016
2005507835.tif 000017
2005507835.tif 000018
2005507835.tif 000019
2005507835.tif 000020
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
流体ディスペンサ部材（１）であって、構成要素として、
・吸入ダクト（１１）が形作られた本体（１０）と、
・本体内で移動可能な駆動ロッド（１３）と、
・駆動ロッドに結合された駆動部材（１５）と、そして、
・流体が格納されている容器（２）の開口部（２０）に本体（１０）を固定するための固定手段（１７）と、を有しており、
特徴となるのは、本体（１０）が、ディスペンサ部材に関する情報を供給することのできるＩＤユニット（３）を備えている点である、
という前記部材。
【請求項２】
ＩＤユニット（３）は、集積回路（３０１）と情報を乗せた信号を転送することのできるアンテナ（３０２）とを有すること、
を特徴とする請求項１に記載のディスペンサ部材。
【請求項３】
ＩＤユニット（３）は、本体（１０）に固定された支持部材（３１）の内側に収容されていること、
を特徴とする請求項１又は２に記載のディスペンサ部材。
【請求項４】
支持部材は、本体（１０）を囲む形ではめられるリング（３１）を形成していること、
を特徴とする請求項３に記載のディスペンサ部材。
【請求項５】
ＩＤユニット（３）は、構成要素に固定されていること、
を特徴とする請求項１乃至４のいずれかに記載のディスペンサ部材。
【請求項６】
ＩＤユニット（３）は、構成要素の内部に閉じ込められるか、埋め込まれていること、
を特徴とする請求項１乃至５のいずれかに記載のディスペンサ部材。
【請求項７】
容器（２）と請求項１乃至６のいずれかに記載のディスペンサ部材（１）とを有する流体ディスペンサ。
【請求項８】
ＩＤユニットが容器内に配置されていること、
を特徴とする請求項７に記載のディスペンサ。
【国際調査報告】
2005507835.tif 000021
2005507835.tif 000022
2005507835.tif 000023
2005507835.tif 000024
2005507835.tif 000025
2005507835.tif 000026